(57)【特許請求の範囲】
【請求項１】
上部及び側部のうち少なくとも上部が開口し、かつ流路を有するブロック本体と、このブロック本体の内壁に長手方向に所定間隔をおいて所定厚みに形成された複数のスペーサ壁と、このスペーサ壁の上端面よりも下部に、スペーサ壁よりも内側に突出して形成され、かつ蓋体を支持するための支持部とを備えており、前記スペーサ壁がブロック本体の上端面から所定距離だけ離れて形成されている側溝ブロックであって、前記ブロック本体が断面コ字状又はＵ字状若しくはＬ字状に形成され、長手方向に隣接するスペーサ壁の間に位置する壁面が、ブロック本体の上端部から支持部の支持面よりも下方に延びる平坦域を有している側溝ブロック。
【請求項２】
スペーサ壁の上端面が、ブロック本体の上端面よりも下方に位置し、支持部が、スペーサ壁から独立して又はスペーサ壁から内側に延出又は突出して形成されている請求項１記載の側溝ブロック。
【請求項３】
スペーサ壁の厚みｔと、ブロック本体の上端面とスペーサ壁の上端面との距離ｄとが、ｄ／ｔ＝０．０１〜５、ｔ＝１〜１００ｍｍの関係を満たす請求項１又は２記載の側溝ブロック。
【請求項４】
スペーサ壁の長手方向の幅ｗよりも、隣接するスペーサ壁間の間隔ｆが大きく形成されている請求項１〜３のいずれかに記載の側溝ブロック。
【請求項５】
スペーサ壁の長手方向の幅ｗと、隣接するスペーサ壁間の間隔ｆとが、ｆ／ｗ＝１〜２００の関係を満たす請求項１〜４のいずれかに記載の側溝ブロック。
【請求項６】
上部及び側部のうち少なくとも上部が開口し、かつ流路を有するブロック本体と、このブロック本体の開口部に配設される蓋体とを備えた側溝であって、前記ブロック本体の内壁に長手方向に所定間隔をおいて所定厚みに形成された複数のスペーサ壁と、このスペーサ壁の上端面よりも下部に、スペーサ壁よりも内側に延出して形成され、かつ蓋体を支持するための支持部とを備えており、前記スペーサ壁がブロック本体の上端面から所定距離だけ離れて形成されており、前記ブロック本体が断面コ字状又はＵ字状若しくはＬ字状に形成され、長手方向に隣接するスペーサ壁の間に位置する壁面が、ブロック本体の上端部から支持部の支持面よりも下方に延びる平坦域を有している、側溝。
【請求項７】
支持部がスペーサ壁から内側に延出して形成され、蓋体を支持部で支持した状態で、ブロック本体の長手方向に沿って、ブロック本体と蓋体との間に、ブロック本体の長手方向に沿ってブロック本体の流路と通じる流入口が形成される請求項６記載の側溝。
【発明の詳細な説明】
【技術分野】
【０００１】
本発明は、道路の側部に配置され、雨水などを集水して排水する上で有用な側溝ブロック及びこの側溝ブロックを用いた側溝（又は道路側溝）に関する。
【背景技術】
【０００２】
道路（車道）と歩道との間には、雨水を集水して流出させるため、側溝ブロックが配置されている。この側溝ブロックは、通常、コンクリートなどで形成され、上部に開口部が形成され、通水路を有するブロック本体と、このブロック本体の開口部を覆う蓋体とを備えている。雨水などを集水してブロック本体の通水路に流出させるための集水口としては、蓋体に形成したスリット、ブロック本体の内壁と蓋体との間に形成した流入口が知られている。前者のスリット状集水口は、例えば、蓋体の幅方向の中央部で長手方向に延びる溝と、この溝に連なり、かつ長手方向に形成され、通水路と連通したスリットとを備えている。しかし、蓋体にスリット状集水口を形成すると、蓋体の機械的強度が低下しやすい。そのため、補強材などが必要となる場合があり、施工性を低下させる可能性がある。
【０００３】
後者の流入口に関し、特開２００４−７６３０４号公報（特許文献１）には、流路を有する側溝本体と、この側溝本体の開口に設置され、かつ第１の側面と前記側溝本体の開口側の第２の側面とを有する蓋と、この蓋の第２の側面に形成された位置決め手段（突起）とを備えた側溝が開示されている。この側溝では、前記突起により、前記第１及び第２の側面の上端から下端に至り、かつ断面縦長の排水用の第１の空間を形成し、この第１の空間を通って前記流路に排水される経路を形成している。しかし、蓋の側面の長手方向に所定間隔をおいて突起を形成する必要があり、蓋の構造が複雑化し、汎用性が乏しくなる。
【０００４】
特開平７−１９７５１２号公報（特許文献２）には、断面Ｕ形の集水側溝ブロックの頂部両側に対向して形成され、蓋体を載置して支持する支持部と、前記頂部両側の少なくとも一方に側溝内に水を落し込むために形成され、かつブロックの長さ方向に伸びる長辺状の通水溝とを備え、この通水溝が、ブロックの高さ方向に沿って上記蓋体の支持部を超えて形成されている集水側溝用ブロックが開示されている。この側溝ブロックでは、集水側溝ブロックの両側壁の頂部間に複数個の蓋体を長手方向に連続せしめて載置して支持し、上記側壁頂部に複数の通水溝を形成している。しかし、特許文献２では、通水溝を通じてしか雨水を通水路に流入できない。しかも、通水溝の長さは比較的短い。そのため、集水効率を高めることが困難であり、ブロック本体を集水に有効に利用できない。特に、ブロック及び蓋体の上端面を平坦にして段差の少ないバリアフリー構造にすると、通水溝による集水効率はさらに低下する。また、通水溝を、長手方向に所定の間隔で、側溝ブロックの上端部の内壁から支持部の下部に至る領域を切り欠いた形態で形成するため、構造が複雑化するとともに、側溝ブロックの生産効率が低下する。特に、骨材を含むコンクリートを用いると、細部の成形を精度よく形成できなくなり、生産性が低下する。
【先行技術文献】
【特許文献】
【０００５】
【特許文献１】特開２００４−７６３０４号公報（特許請求の範囲、図１及び図２）
【特許文献２】特開平７−１９７５１２号公報（特許請求の範囲、図４）
【発明の概要】
【発明が解決しようとする課題】
【０００６】
従って、本発明の目的は、ブロック本体の内壁を集水に有効に利用できる側溝ブロックと、このブロックを備えた側溝を提供することにある。
【０００７】
本発明の他の目的は、蓋体の側面に突起などを形成することなく、ブロック本体の長手方向に沿って雨水などの流入口（又は流入路）を形成できる側溝ブロックと、このブロックを備えた側溝を提供することにある。
【０００８】
本発明のさらに他の目的は、バリアフリー構造の側溝を形成しても、集水効率を向上できる側溝ブロックと、このブロックを備えた側溝を提供することにある。
【０００９】
本発明の別の目的は、簡単な構造でスリット状の流入口を形成でき、効率よく製造できる側溝ブロックと、このブロックを備えた側溝を提供することにある。
【課題を解決するための手段】
【００１０】
本発明者は、前記課題を達成するため鋭意検討した結果、流路を有するブロック本体の内壁に、ブロック本体の上端面から所定距離をおいて所定厚みのスペーサ壁（規制壁）と、このスペーサ壁（規制壁）から内側に延び、かつ蓋体を支持するための支持部（段部又は台座部）とを長手方向に間隔をおいて形成すると、蓋体を支持部に載置した状態で、ブロック本体の長手方向に沿って、連続したスリット状集水口（スペーサ壁の上部に連続して形成された案内流入口と、隣接するスペーサ壁（規制壁）の間にスペーサ壁の厚みに応じて形成されたスリット状の流入口とで構成された連続したスリット状集水口）を形成できること、このような形態の側溝ブロックでは、構造が簡単でありながら、スペーサ壁により蓋体の位置ずれ（側溝ブロックの幅方向の位置ずれ）を確実に防止でき、前記流入口を確保できることを見いだし、本発明を完成した。
【００１１】
すなわち、本発明の側溝ブロックは、上部及び側部のうち少なくとも上部が開口し、かつ流路を有するブロック本体と、このブロック本体の内壁に長手方向に所定間隔をおいて所定厚みに形成された複数のスペーサ壁（スペーサ部）と、このスペーサ壁の上端面よりも下部に、スペーサ壁（スペーサ部）よりも内側に突出又は延出して形成され、かつ蓋体を支持するための支持部とを備えており、前記スペーサ壁（スペーサ壁の上端面）がブロック本体の上端面から所定距離だけ離れて（下方向に離れて）形成されている。スペーサ壁の上端面は、通常、ブロック本体の上端面よりも下方に位置し、蓋体を支持するための支持部は、スペーサ壁から独立して又はスペーサ壁（スペーサ部）から内側に延出又は突出して形成してもよい。
【００１２】
このような側溝ブロックでは、支持部で蓋体を支持した状態では、スペーサ壁（スペーサ部）の上部には長手方向に連続した溝状の案内流入口（案内流入路、案内集水路）が形成され、隣接するスペーサ壁（スペーサ部）の間には、スペーサ壁の厚みに応じたスリット状流入口（スリット状流入路、スリット状集水路）が形成される。すなわち、ブロック本体の長手方向に沿って、ブロック本体の内壁と蓋体の側壁との間にブロック本体の流路に通じる連続したスリット状の流入口（流入路、集水路）を形成できる。そのため、ブロック本体の内壁を集水に有効に利用でき、段差の少ないバリアフリー構造の側溝を形成しても、ブロック本体の長手方向に沿って雨水などを集水できる。
【００１３】
なお、スペーサ壁の厚みを「ｔ」と、ブロック本体の上端面とスペーサ壁の上端面との距離を「ｄ」としたとき、ｄ／ｔ＝０．０１〜５、ｔ＝１〜１００ｍｍの関係を満たしてもよい。また、スペーサ壁の長手方向の幅ｗよりも、隣接するスペーサ壁間の間隔ｆを大きく形成してもよい。すなわち、隣接するスペーサ壁間の流入壁の長手方向の長さが大きくてもよい。例えば、スペーサ壁（スペーサ部）の長手方向の幅ｗと、隣接するスペーサ壁（スペーサ部）間の間隔ｆとが、ｆ／ｗ＝１〜２００の関係を満たしてもよい（すなわち、隣接するスペーサ壁間の間隔ｆが、スペーサ壁の幅ｗの１〜２００倍であってもよい）。
【００１４】
なお、ブロック本体は、断面コ字状又はＵ字状若しくはＬ字状であってもよく、長手方向に隣接するスペーサ壁（スペーサ部）の間に位置する壁面は、ブロック本体の上端部から支持部の支持面よりも下方に延びる平坦域を有していてもよい。すなわち、隣接するスペーサ壁の間に位置し、かつブロック本体の上端部から支持部の支持面よりも下方に至る内壁は、平坦に形成してもよい。
【００１５】
本発明の側溝は、前記側溝ブロックと蓋体とで構成できる。すなわち、本発明の側溝は、上部及び側部のうち少なくとも上部が開口し、かつ流路を有するブロック本体と、このブロック本体の開口部に配設される蓋体とを備えた側溝であって、前記ブロック本体の内壁に長手方向に所定間隔をおいて所定厚みに形成された複数のスペーサ壁（スペーサ部）と、このスペーサ壁（スペーサ部）の上端面よりも下部に、スペーサ壁（スペーサ部）よりも内側に延出して形成され、かつ蓋体を支持するための支持部とを備えており、前記スペーサ壁がブロック本体の上端面から所定距離だけ離れて形成されている。前記のように、スペーサ壁（スペーサ部）からは支持部を内側に延出又は突出して形成してもよい。
【００１６】
前記側溝では、蓋体を支持部で支持した状態で、ブロック本体の長手方向に沿って、ブロック本体と蓋体との間に、ブロック本体の長手方向に沿ってブロック本体の流路と通じる流入口（連続したスリット状の流入路又は集水路）を形成してもよい。この流入口（長手方向に連続したスリット状の流入口）は、スペーサ壁の上部（ブロック本体の内壁面のうちスペーサ壁の上端面より上側の内壁面）と蓋体の側面（又は側壁）との間に形成された案内流入口（連続した流入案内路又は集水路）と、隣接するスペーサ壁間の内壁と蓋体の側面（又は側壁）との間に形成されたスリット状の流入口（スリット状流入路又は集水路）とを含んでいてもよい。すなわち、スペーサ壁の上部と蓋体の側面との間に案内流入口が形成し、隣接するスペーサ壁間の内壁と蓋体の側面との間にスリット状の流入口が形成してもよい。
【００１７】
なお、本明細書において、「スペーサ壁」と「スペーサ部」とを同義に用いる場合がある。また、「スペーサ壁がブロック本体の上端面から所定距離だけ離れている」とは、スペーサ壁の上端面の平均高さと、ブロック本体の内壁の上端面との間に距離があることを意味し、スペーサ壁の上端面は必ずしも平坦である必要はないことを意味する。すなわち、スペーサ壁の上端面は、ブロック本体の側壁の上端面から上方向に突出することはないものの、上部が三角形状や山形状などの頂部を有するスペーサ壁では上端面（頂部端面又は頂点）がブロック本体の側壁の上端面と同じ高さ位置にあってもよい。なお、通常、スペーサ壁の上端面全体が、ブロック本体の上端面よりも下方に位置している場合が多い。
【発明の効果】
【００１８】
本発明では、スペーサ壁（スペーサ部）により、スペーサ壁の上部の案内流入口とスペーサ壁間のスリット状流入口とを形成でき、ブロック本体の内壁を集水に有効に利用できる。また、蓋体の側面に突起などを形成することなく、ブロック本体の長手方向に沿って案内流入口とスリット状流入口とが連なった流入口（長手方向に連続した流入口又は流入路）を形成できる。そのため、バリアフリー構造（ブロック本体及び蓋体の上端面を平坦にした構造）の側溝であっても、集水効率を向上できる。さらに、側溝ブロック（ブロック本体）の構造が簡単であるため、骨材を含むコンクリートを用いても、高い成形精度で効率よく製造できる。
【図面の簡単な説明】
【００１９】
【図１】図１は本発明の側溝ブロックの一例を示す概略斜視図である。
【図２】図２は図１の側溝ブロックを用いた側溝の一例を示す概略断面図である。
【図３】図３は本発明の側溝ブロックの他の例を示す概略分解斜視図である。
【図４】図４は本発明の側溝ブロックのさらに他の例を示す概略分解斜視図である。
【図５】図５は本発明の側溝ブロックの別の例を示す部分概略斜視図である。
【図６】図６は本発明の側溝ブロックのさらに別の例を示す概略分解斜視図である。
【図７】図７は本発明の側溝ブロックの他の例を示す概略分解斜視図である。
【図８】図８は本発明の側溝ブロックのさらに他の例を示す部分概略斜視図である。
【図９】図９は本発明の側溝ブロックの他の例を示す概略分解斜視図である。
【図１０】図１０は本発明の側溝ブロックのさらに他の例を示す概略断面図である。
【図１１】図１１は本発明の側溝ブロックのさらに他の例を示す部分概略斜視図である。
【図１２】図１２は本発明の側溝ブロックの他の例を示す概略分解斜視図である。
【図１３】図１３は本発明の側溝の他の例を示す概略断面図である。
【図１４】図１４は本発明の側溝のさらに他の例を示す概略断面図である。
【発明を実施するための形態】
【００２０】
以下に、添付図面を参照しつつ、本発明を詳細に説明する。図１は本発明の側溝ブロックの一例を示す概略斜視図であり、図２は図１の側溝ブロックを用いた側溝の一例を示す概略断面図である。
【００２１】
この例では、側溝ブロック１は、断面コ字状に形成され、上部が開口したブロック本体２と、このブロック本体の一方の内壁４に形成された複数のスペーサ壁（規制壁、スペーサ部）６と、このスペーサ壁に形成された支持部７とを備えている。上記ブロック本体２は、集水した雨水などを排出するための流路（排水路）３を備えている。
【００２２】
前記スペーサ壁（スペーサ部）６は、所定厚みｔ及び長手方向の幅ｗを有する方形平板状の形態で形成されており、前記スペーサ壁６の上端面（平坦面）は、ブロック本体２の一方の内壁（側壁）４の上端面４ａから所定距離ｄをおいて形成されている。すなわち、前記スペーサ壁（スペーサ部）６の上端面６ａは、ブロック本体２の上端面４ａよりも所定距離ｄだけ離れて位置している。この例では、ｔ＝５〜１５ｍｍ、ｄ＝５〜１５ｍｍ程度に形成されている。
【００２３】
さらに、複数のスペーサ壁（スペーサ部）６は、ブロック本体２の長手方向に沿って所定間隔ｆをおいて形成され、隣接するスペーサ壁６，６間の間隔ｆは、スペーサ壁６の長手方向の幅ｗに対して、１．５〜３倍程度大きく形成されている（ｆ／ｗ＝１．５〜３）。
【００２４】
さらに、支持部７は、前記スペーサ壁（スペーサ部）６から内側（内方）に延出しており、支持部７の上端面は、蓋体１１１を支持するための支持面７ａを形成している。この例では、支持部７は、スペーサ壁６の高さ方向の所定部位からブロック本体２の底部内壁に至る部位（又は領域）において内側（内方）に突出した長方体（ブロック）の形態で形成されている。
【００２５】
また、長手方向に隣接するスペーサ壁６，６の間に位置する壁面（流入壁）は、ブロック本体２の上端部（上端面４ａ）から支持部７の支持面７ａよりも下方に延びてブロック本体２の底壁に至る平坦域を有し、平坦壁を形成している。
【００２６】
なお、ブロック本体２の他方の内壁（側壁）５の上端面５ａは、支持部７の支持面７ａと同じ高さにしており、他方の内壁（側壁）５の端面５ａと支持部７の支持面７ａとで、ブロック本体２の上部開口部を塞ぐ蓋体１１１を支持している。この例では、図２に示されるように、蓋体１１１として、車道Ａと歩道Ｂとの境界域に歩車道境界ブロックを形成するため、上方に突出した頭部１１１ａを有する蓋体が使用されている。なお、蓋体１１１の頭部１１１ａのうちブロック本体２の一方の内壁（側壁）４側の側壁は、内壁（側壁）４とほぼ平行な側壁１１１ｂと、この側壁から上方に行くにつれて他方の内壁５の方向に傾斜した傾斜壁１１１ｃとを有している。
【００２７】
このような側溝ブロック１の開口部に蓋体１１１を配設して、支持部７の支持面７ａとブロック本体２の他方の内壁５の上端面５ａとで蓋体１１１を支持して側溝を形成すると、ブロック本体２の一方の内壁４と蓋体１１１の側壁（側面）との間には、ブロック本体２の長手方向に沿って、前記スペーサ壁（スペーサ部）６の上部には、少なくともスペーサ壁６の厚みｔに対応する幅を有し、かつブロック本体２の上端面４ａとスペーサ壁６の上端面との距離ｄ（ブロック本体２の上端面４ａからスペーサ壁６の上端面に至る深さｄ）に対応する深さの連続した凹溝（案内流入口）８が形成され、隣接するスペーサ壁６，６の間には、少なくとも前記スペーサ壁（スペーサ部）６の厚みｔに対応するスリット状流入口９が形成される。すなわち、連続した凹溝（案内流入口）８とスリット状流入口９とで連続したスリット状集水口を形成している。このように、ブロック本体２の長手方向に沿って、連続した雨水の流入路（又は集水口）を形成でき、しかも、スペーサ壁６の長手方向の幅ｗよりも、隣接するスペーサ壁６，６間の間隔ｆ（すなわち、長手方向のスリット状流入口９の長さ）が大きく形成されているため、雨水を効率よく集水して流路３を通じて排水できる。すなわち、凹溝状の案内流入口８は、流入した雨水をスリット状流入口９に案内してブロック本体２の流路３に流出させることができ、隣接するスペーサ壁６，６間で長手方向に長く延びたスリット状流入口９を利用して、流入した雨水を、必要によりブロック本体２の内壁のうち隣接するスペーサ壁６，６の間に位置する流入壁を伝って、ブロック本体２の流路（排水路）３に流出させることができる。さらに、蓋体１１１の頭部１１１ａの傾斜壁１１１ｃが、水の流入方向に対して拡がる方向（ブロック本体２の他方の内壁５の方向）に傾斜しているため、蓋体１１１の頭部１１１ａの側壁も水を流路（排水路）３へ案内できる。そのため、ブロック本体２の内壁４を集水に有効に利用できる。なお、長手方向に断続的に形成した通水溝では、通水溝と通水溝との間では水が落ち込んで流入できず、側溝ブロック上を横切って水が流れてしまう。これに対して、流入路（又は集水口）を長手方向に沿って連続して形成しているため、水を確実に流入路（又は集水口）８，９に導入できる。特に、段差のないバリアフリーの形態で側溝を形成しても、水を確実に流入路（又は集水口）８，９に導入できる。
【００２８】
さらに、側溝ブロックの内壁が簡単な構造であり、簡便かつ効率よく側溝ブロックを形成でき、安価な製品を提供できる。
【００２９】
なお、側溝ブロックのブロック本体は、上部及び側部のうち少なくとも上部が開口し、かつ蓋体で閉じ可能な開口部を有するとともに、内部に流路（排水路）を有していれば、門型ブロック、円型又は卵形ブロックであってもよいが、断面コ字状又はＵ字状若しくはＬ字状のブロックである場合が多い。なお、ブロック本体内の流路は、断面コ字状、Ｕ字状である場合が多いものの、断面Ｌ字状のブロック本体では、蓋体を載置した状態で断面コ字状、Ｕ字状の流路を形成してもよい。
【００３０】
さらに、ブロック本体の長さは、小さくてもよいが、ブロック本体は、通常、長尺に形成されており、直線状に限らず湾曲又は屈曲していてもよい。図３は本発明の側溝ブロックの他の例を示す概略分解斜視図である。なお、前記図１及び図２に示す要素と同じ部材については同じ符号を付して説明する（以下、同じ）。
【００３１】
この例では、ブロック本体１２及び蓋体１２１は、いずれも長手方向に湾曲しており、側溝ブロック１１のブロック本体１２は深さの浅い断面コ字状又はＬ字状の形態で形成されている。ブロック本体１２の一方の湾曲した内壁１４には、長手方向に湾曲している点を除いて、スペーサ壁１６と支持部１７とが前記図１及び図２と同様に形成されている。また、スペーサ壁１６の上端面１６ａは、ブロック本体１２の一方の内壁１４の上端面１４ａよりも下方に位置し、支持部１７の支持面１７ａも、スペーサ壁１６の上端面１６ａよりも下方に位置している。さらに、ブロック本体１２の底壁のうち、他方の湾曲した内壁１５の内周部には、内壁１５に沿って凹溝２０が形成されている。
【００３２】
一方、蓋体１２１は天面が平坦に形成され、蓋体１２１の下部の両側部には、外周脚部（短い脚部）１２１ａと内周脚部（長い脚部）１２１ｂとが形成されている。このような形態の側溝ブロックでは、ブロック本体１２の支持部１７の支持面１７ａに蓋体１２１の外周脚部（短い脚部）１２１ａが載置され、ブロック本体１２の凹溝２０に内周脚部（長い脚部）１２１ｂが装着して載置される。
【００３３】
このような側溝ブロック及び蓋体でも、前記と同様にブロック本体の長さ方向に沿って連続した通水路（又は集水路）を形成でき、雨水を有効に集水できる。さらに、ブロック本体１２の凹溝２０に内周脚部１２１ｂが装着した状態で載置されているため、湾曲した境界（車歩道境界など）の側溝であっても、蓋体１２１の移動を有効に防止できる。
【００３４】
図４は本発明の側溝ブロックのさらに他の例を示す概略分解斜視図である。この例では、側溝ブロック２１のブロック本体２２は、断面Ｌ字状の形態で湾曲することなく直線状に形成され、立設した側壁の内壁２４には、支持面２７ａを有する支持部２７と、この支持部から上方に延びるスペーサ壁２６とが形成され、このスペーサ壁２６の上端面２６ａは内壁（立設した側壁）２４の上端面２４ａよりも下部に位置している。また、ブロック本体２２の立設側壁２４とは反対側の底壁には、側壁２４から離れて凹溝３０が形成されている。
【００３５】
一方、蓋体１３１も断面Ｌ字状に形成され、前記支持面２７ａにより支持可能な蓋部１３１ａと、前記凹溝３０に装着可能な脚部１３１ｂとを備えている。
【００３６】
このような断面Ｌ字状のブロック本体２２及び蓋体１３１であっても、長手方向に沿って連続したスリット状集水路を形成できる。
【００３７】
なお、ブロック本体１２，２２の凹溝２０，３０に蓋体の脚部１２１ｂ，１３１ｂを位置させる必要はなく、蓋体の脚部１２１ｂ，１３１ｂは、必要により嵌合、装着などの形態で、ブロック本体の適所、例えば、ブロック本体１２，２２の凹溝２０，３０に隣接する端部に位置させてもよい。
【００３８】
前記の例では、支持部が長方体状ブロックの形態（垂直内壁などを所定厚みで有する方形状の形態）で形成されているが、支持部の形態は、蓋体が載置可能であり、蓋体を支持可能である限り、特に制限されない。図５は本発明の側溝ブロックのさらに他の例を示す部分概略斜視図である。
【００３９】
この例では、側溝ブロック３１のブロック本体２の一方の内壁４にスペーサ壁３６が形成され、このスペーサ壁からブロック本体２の内側へ延出する支持部３７は、断面直角三角形上に形成され、蓋体（図示せず）を載置又は支持するための支持面３７ａと、この支持面３７ａから所定幅に形成された細幅の内壁３７ｂと、この内壁から下方向にいくにつれて外側方向に傾斜した傾斜壁３７ｃとを有している。なお、側溝を構築したとき、凹溝状の案内流入口を形成するため、上記と同様に、スペーサ壁３６の上端面３６ａは、ブロック本体２の一方の内壁４の上端面４ａよりも下方に位置する。
【００４０】
このような側溝ブロック３１でも、蓋体を確実に支持しながら、長手方向に連続した集水路を形成でき、集水効率を向上できる。
【００４１】
なお、前記傾斜壁３７ｃは、直線的に傾斜していてもよく、凸状又は凹状の形態で湾曲して傾斜していてもよい。また、支持部は、ブロック本体の流路の底壁に至る必要はなく、断面コ字状の形態でブロック本体の一方の内壁の途中部に形成してもよい。また、支持部の支持面は必ずしも平坦である必要はなく、蓋体を支持可能である限り、凹凸部が形成された凹凸面、凸条が形成された凸条面、格子状に凸条が形成された格子状の支持面などであってもよい。
【００４２】
なお、スペーサ壁は支持部の支持面から全体に亘り同じ幅（長手方向の長さ）で上方向に延びる必要はなく、スペーサ壁の幅は支持部の幅と異なっていてもよい（支持部の幅よりも大きくてもよく小さくてもよい）。
【００４３】
図６は本発明の側溝ブロックのさらに別の例を示す概略分解斜視図である。この例では、側溝ブロック４１のブロック本体４２は、深い断面Ｕ字状の形態を有しており、一方の側壁の内壁４４には、長手方向に所定間隔をおいて、複数のスペーサ壁４６と、このスペーサ壁から大きな幅で底部に延び、かつ厚みの大きなブロック状の支持部４７とが形成されており、内壁４４の上端面４４ａから所定距離をおいてスペーサ壁４６の上端面４６ａが位置している。すなわち、支持部４７の幅よりも小さな幅のスペーサ壁４６が、支持部４７から上方向に延び、かつ内壁４４の上端面４４ａよりも下部に至って形成されている。なお、支持部４７はブロック本体４２の底部壁にまで延びており、支持部４７の下部は、支持面積を大きくするため、下方向にいくにつれて内側に傾斜している。また、図１に示すのと同様の形態の蓋体１４１を支持するための支持面４７ａの高さは、他方の内壁４５の上端面４５ａと同じ高さに形成されており、図１〜図２と同様に、支持面４７ａと上端面４５ａとで蓋体を支持可能である。
【００４４】
このような側溝ブロック４１では、長手方向に連続した集水路を形成できるだけでなく、スペーサ壁４６が細幅であるため、さらに有効に集水でき、集水効率を向上できる。
【００４５】
なお、支持面は、蓋体を確実に支持できる限り水平方向に平坦である必要はない。図７は本発明の側溝ブロックの他の例を示す概略分解斜視図である。
【００４６】
この例では、側溝ブロック５１のブロック本体５２は、深い断面Ｕ字状の形態を有しており、一方の側壁の内壁５４には、長手方向に所定間隔をおいて、内壁５４の上端面５４ａから所定距離をおいて上端面５６ａが位置する複数のスペーサ壁５６と、これらのスペーサ壁から底部に延びる厚みの大きなブロック状の支持部５７とが形成されている。そして、支持部５７の支持面（上端面）５７ａは、他方の側壁の内壁５５にいくにつれて底部側（下方）へ傾斜した傾斜面として形成されている。また、他方の側壁５５の上端面５５ａの内縁部には、蓋体１５１の底部の凸条１５１ｄと係合可能な段部５８が形成されている。
【００４７】
一方、蓋体１５１は、頭部１５１ａを有するとともに、前記支持面５７ａにより支持される傾斜面１５１ｂと、この傾斜面からアーチ状の形態で側方に延びる蓋部１５１ｃと、この蓋部の外縁部の内側に形成され、かつ前記側壁５５の段部５８に嵌合又は装着可能な凸条１５１ｄとが形成されている。なお、蓋体１５１は、傾斜面１５１ｂの端部から垂直方向に延びる側壁（前記側壁の内壁５４とほぼ平行な側壁）と、この側壁から上方に行くにつれて他方の内壁５５の方向に傾斜して頭部１５１ａの側壁を形成する傾斜壁とを有している。
【００４８】
このような側溝ブロック５１は、支持面５７ａが傾斜していても蓋体１５１を安定に支持できる。
【００４９】
なお、側壁５５の段部５８及び蓋体１５１の凸条１５１ｄは必ずしも必要ではない。また、支持面は上記とは逆に他方の側壁の内壁５５にいくにつれて上方向（開口部方向）へ傾斜していてもよい。また、前記のように、支持面には、必要であれれば、蓋体の位置ずれを抑制するための段部や凹凸部（長手方向に延びる凹凸溝など）を形成してもよい。また、ブロック本体の蓋体との接触適所（例えば、少なくとも一方の上端面など）には、必要であれれば、蓋体の位置ずれを抑制するための段部や凹凸部（長手方向に延びる凹凸溝など）を形成してもよい。
【００５０】
対向する一対の内壁を有するブロック本体では、一対の内壁は上部から下部底壁に向かって横方向に拡がっていてもよいが、上下方向の引き抜き成形では、アンダーカット部のない形態、例えば、上部から下部底壁に向かって垂直に延びる形態又は若干幅狭となる形態で傾斜して形成する場合が多い。
【００５１】
さらに、ブロック本体の内壁には、長手方向に所定間隔をおいて複数のスペーサ壁（スペーサ部）を形成すればよく、スペーサ壁（スペーサ部）は、上下方向の引き抜き成形では、上下方向にアンダーカット部のない形態、例えば、上部から下部底壁に向かって垂直に延びた形態又は若干幅狭となる形態で傾斜して形成するのが好ましい。
【００５２】
なお、軸方向（長手方向）に成形型（成形コア）を引き抜く成形法では、ブロック本体の内壁及びスペーサ壁（スペーサ部）は、上下方向にはアンダーカット部があっても、長手方向にアンダーカット部のない形態であればよく、例えば、ブロック本体の内壁（スペーサ壁及び支持部）に長手方向に延びる凹溝や凸条を形成してもよい。
【００５３】
支持部は、スペーサ壁と一体に、スペーサ壁から流路の内側に延出又は突出して形成する必要はなく、ペーサ壁から独立して形成してもよい。例えば、スペーサ壁と支持部とは、スペーサ壁の上端面よりも支持部の支持面を下方に位置させて、それぞれ独立して、ブロック本体の一方の内壁に形成してもよい。すなわち、ブロック本体の上端面から所定距離ｄだけ離れてブロック本体の内壁に形成したスペーサ壁と、ブロック本体の内壁において、前記スペーサ壁の上端面よりも下部に所定間隔をおいて形成された支持面を有する支持部（スペーサ壁よりも流路の内側に延出して形成された支持部）とを、ブロック本体の内壁に散在又は長手方向に交互に形成してもよい。
【００５４】
図８〜図１０は、それぞれ、スペーサ壁と支持部とが独立して形成され、支持部がスペーサ壁よりも下方に形成された例を示している。図８は本発明の側溝ブロックのさらに他の例を示す部分概略斜視図である。
【００５５】
この例では、側溝ブロック６１のブロック本体６２は断面コ字状の形態に形成され、ブロック本体６２の一方の内壁４には、スペーサ壁６６と支持部６７とが形成されている。このスペーサ壁６６は、長手方向に長い長細の長方形状に形成され、スペーサ壁６６の上端面６６ａは、ブロック本体６２の一方の内壁４の上端面４ａよりも下方に位置し、支持部６７の支持面６７ａも、スペーサ壁６６の上端面６６ａよりも下方（図示する例では、スペーサ壁６６の下端面よりも下方）に位置している。
【００５６】
そして、隣接する支持部６７，６７間にスペーサ壁６６が位置する形態で、スペーサ壁６６と支持部６７とは独立して長手方向に交互に形成されている。より詳細には、前記長方形状のスペーサ壁６６は、隣接する支持部６７，６７の間隔に相当する長さを有しており、隣接する支持部６７，６７間に延在した形態で形成され、長方形状のスペーサ壁６６の端部（角部）と支持部６７の端部との間を狭くしている。すなわち、スペーサ壁６６は、隣接する支持部６７，６７と縦方向に離れて独立して形成されているものの、横方向には支持部６７，６７と隣接した形態で形成されている。なお、前記支持部６７の下部は、幅広の内壁６７ｂから下方にいくにつれて内壁方向に拡がる傾斜壁６７ｃ（図５に示されるのと同様の傾斜壁）が形成されている。さらに、支持部６７の支持面６７ａと他方の側壁５の上端面５ａは、蓋体を支持するため同じ高さ位置に形成されている。
【００５７】
図９は本発明の側溝ブロックの他の例を示す概略分解斜視図である。この例では、側溝ブロック７１のブロック本体７２の一方の内壁４に形成されたスペーサ壁７６と支持部７７との形態が異なる点を除き、図８と同様の構造を有している。すなわち、スペーサ壁７６の上端面７６ａは、ブロック本体７２の一方の内壁４の上端面４ａよりも下方に位置し、支持部７７の支持面７７ａも、スペーサ壁７６の上端面７６ａよりも下方（図示する例では、スペーサ壁７６の下端面よりも下方）に位置している。
【００５８】
そして、隣接する支持部７７，７７間に位置する長方形状のスペーサ壁７６は、隣接する支持部７７，７７と縦方向に離れて独立して形成され、隣接する支持部７７，７７の間隔よりも長く形成されている。そのため、スペーサ壁７６は、横方向には（又は上方向からみると）隣接する支持部７７，７７と一部重複した形態で配置されている。なお、支持部７７の支持面７７ａと他方の側壁５の上端面５ａは、蓋体を支持するため同じ高さ位置に形成されている。
【００５９】
このような側溝ブロックを用いても、前記と同様に長手方向に連続した流入路（集水口）を形成できる。さらに、貴重品（硬貨など）などの落下物を落としても、スペーサ壁６６，７６と支持部６７，７７とが幅狭の間隔で独立して形成されているため、スペーサ壁６６，７６と支持部６７，７７との間の幅狭部で落下物が流路（排水路）内に流入するのを規制でき、流失を防止できる。
【００６０】
図１０は本発明の側溝ブロックのさらに他の例を示す概略断面図である。この例では、側溝ブロック８１のブロック本体８２の一方の内壁４に形成されたスペーサ壁８６が断面半円状に形成されている点を除き、上記の図８及び図９と同様に形成されている。すなわち、スペーサ壁８６の上端面（内壁４から突出するスペーサ壁８６の上縁部）８６ａは、ブロック本体８２の一方の内壁４の上端面４ａよりも下方に位置し、支持部８７の支持面８７ａも、スペーサ８６の上端面８６ａよりも下方（図示する例では、スペーサ壁８６の下端面よりも下方）に位置している。すなわち、隣接する支持部８７，８７間に位置する長方形状のスペーサ壁８６は、隣接する支持部８７，８７と縦方向に離れて独立して形成され、隣接する支持部８７，８７の間隔と同等又は間隔よりも長く形成されている。なお、支持部８７の支持面８７ａと他方の側壁５の上端面５ａは、蓋体を支持するため同じ高さ位置に形成されている。
【００６１】
なお、スペーサ壁の断面形状は、図１０に示すように、半円状又は膨出状の他、四角形状などの多角形状などであってもよく、スペーサ壁の平面形状は、例えば、ドット状、線状、多角形状（細幅であってもよい長方形状など）、円形状、楕円形状などであってもよい。例えば、スペーサ壁（スペーサ部）は、ブロック本体の内壁にスポット的な凸部又は凸面の形態で形成してもよく、例えば、突起状（円形、楕円形、多角形など）の形態で、高さ及び／又は横方向の長さ（幅）が小さな細幅の凸条又は凸面の形態で形成してもよい。
【００６２】
スペーサ壁（スペーサ部）は、幅広の所定の面積で高さ方向に延在させて形成してもよい。好ましい態様では、スペーサ壁（スペーサ部）は、大きな面積で形成する必要はないが、幅広の形態で高さ方向に延在させて形成する場合が多い。支持部は、スペーサ壁とは独立して又はスペーサ壁から延出して、スペーサ壁から流路の内側（内側方向）に延出又は突出して形成される。支持部の支持面は、長手方法に連続したスリット状の集水路を形成するため、高さ方向において、スペーサ壁（スペーサ部）の上端面から下方向に離れた位置から流路の内側（内方）に延出又は突出して形成する場合が多く、スペーサ壁と独立して支持部を形成する場合、支持面は、スペーサ壁の下端面よりも下方に位置していてもよい。支持部は、通常、長手方向において、スペーサ壁（スペーサ部）の少なくとも一部の領域（例えば、前記のように、スペーサ壁よりも幅広の領域、又はスペーサ壁の両側部を余した幅狭の領域）から、流路の内側に延出又は突出して形成でき、通常、スペーサ壁のほぼ全領域から（又はほぼ同じ幅で）流路の内側に延出又は突出して形成できる。
【００６３】
スペーサ壁（スペーサ部）の上端面は、所定の厚みでブロック本体の上端面から所定距離だけ下方向に離れて位置していればよく、スペーサ壁（スペーサ部）の厚みｔとブロック本体の上端面とスペーサ壁の上端面との距離ｄとの関係は、案内流入口の幅と深さに応じて選択できる。スペーサ壁（スペーサ部）の厚みｔは、例えば、１〜１００ｍｍ（例えば、２〜５０ｍｍ）、好ましくは５〜４０ｍｍ（例えば、７〜３０ｍｍ）、さらに好ましくは１０〜２５ｍｍ（例えば、１０〜２０ｍｍ）程度であってもよい。また、ブロック本体の上端面とスペーサ壁の上端面との距離ｄは、例えば、１〜１００ｍｍ、好ましくは５〜７５ｍｍ（例えば、７〜５０ｍｍ）、さらに好ましくは１０〜３０ｍｍ（例えば、１５〜２５ｍｍ）程度であってもよい。スペーサ壁（スペーサ部）の厚みｔと距離ｄとの関係は、例えば、ｄ／ｔ＝０．０１〜５（例えば、０．１〜５）、好ましくは０．３〜４．５（例えば、１〜４）、さらに好ましくは０．５〜３．５（例えば、２〜３）程度であってもよい。
【００６４】
なお、スペーサ壁の幅ｗと支持部の幅との割合は連続したスリット状の集水路を形成できる限り特に制限されず、支持部の長手方向の間隔などに応じて選択でき、例えば、スペーサ壁の幅ｗは、支持部の幅「１００」に対して、１〜５００（例えば、５〜２５０）、好ましくは１０〜１５０（例えば、２０〜１００）、さらに好ましくは２５〜１００（例えば、３０〜７５）程度であってもよい。
【００６５】
さらに、案内流入口に対応するスペーサ壁の長手方向の幅ｗよりも、スリット状流入口に対応する隣接するスペーサ壁間の間隔（流入壁の長さ）ｆは、小さく形成してもよく又はスペーサ壁の長手方向の幅ｗと同じ長さで形成してもよいが（ｆ／ｗ≦１）、通常、スペーサ壁の幅ｗよりもスペーサ壁の間隔ｆは大きく形成されている。スペーサ壁の幅ｗとスペーサ壁の間隔ｆとの関係は、ｆ／ｗ＝１〜２００、好ましくは１．５〜１００（例えば、１．５〜７５）、さらに好ましくは２〜５０（例えば、２〜２５）、特に２〜１０（例えば、２．５〜５）程度であってもよい。
【００６６】
なお、長手方向に隣接するスペーサ壁の間に位置する壁面（内壁面又は流入壁）は、必ずしも、ブロック本体の上端部（上端面）から流路の底壁に至るまで平坦域として平坦に形成する必要はないが、雨水の流入容積を大きくするため、支持部の支持面よりも下方に至るまで平坦域（平坦壁）として形成するのが好ましい。なお、前記壁面（内壁面）は、支持部の支持面よりも下方からは、ブロック本体の流路の底壁に向かって湾曲していてもよい。
【００６７】
本発明において、スペーサ壁の上端面は必ずしも平坦である必要はなく、スペーサ壁の上端面は、例えば、波状、ジグザグ状、三角形状、山形状などの形態で屈曲又は湾曲した上端面（又は頂部を有する上端面）であってもよい。このような屈曲又は湾曲した上端面（頂部）は、ブロック本体の側壁の上端面から上方向に突出することはないものの、スペーサ壁の上端面の平均高さ位置が、ブロック本体の内壁の上端面よりも下方に位置すればよく、スペーサ壁の上端面（頂部の上端面又は頂点）はブロック本体の側壁の上端面と同じ高さ位置にあってもよい。なお、スペーサ壁の上端面の平均高さは、頂部を形成する傾斜辺において、頂点の高さＨ１と傾斜辺の最下部の高さＨ２との相加平均値［（Ｈ１＋Ｈ２）／２］に、傾斜辺の最下部の高さＨ２を加算した値［Ｈ２＋（Ｈ１＋Ｈ２）／２］を意味する。傾斜辺の最下部は、傾斜辺の最大幅（長手方向の長さ）に対応する部位とすることができる。なお、スペーサ壁の断面形状が半円状又は膨出状などの湾曲面を有し、かつ内壁から突出するスペーサ壁の上端縁が平坦でない場合、スペーサ壁の上端面の平均高さ位置は、内壁から突出するスペーサ壁の上端縁の平均高さ位置と読み替えることができる。
【００６８】
図１１は本発明の側溝ブロックの他の例を示す部分概略視図である。この例では、側溝ブロック９１は、ブロック本体９２と、このブロック本体の一方の内壁（側壁）４に所定の厚みｔで形成されたスペーサ壁（スペーサ部）９６と、このスペーサ壁から内方へ突出又は延出する支持部９７とを備えており、支持部９７は、他方の内壁（側壁）５の上端面５ａとともに蓋体（図示せず）を支持するための支持面９７ａを有している。そして、上記スペーサ壁９６は、上部が三角形状に形成され、スペーサ壁９６の頂部（頂点）はブロック本体の一方の内壁（側壁）４の上端面４ａと同じ高さに位置し、スペーサ壁９６の傾斜辺（傾斜上端面）９６ａの最下部は、前記内壁（側壁）４の上端面４ａから間隔（距離）２ｄだけ離れて位置している。
【００６９】
このような側溝ブロックでは、ブロック本体に蓋体を載置した状態で、スペーサ壁９６の傾斜辺（傾斜上端面）９６ａにより、傾斜した案内流入口（案内流入路）を形成でき、隣接するスペーサ壁９６，９６間にスリット状流入口（スリット状流入路）を形成できる。すなわち、傾斜した案内流入口（案内流入路）とスリット状流入口（スリット状流入路）で実質的に連続したスリット状集水口（又は集水路）を形成している。そのため、傾斜辺（傾斜上端面）９６ａを利用して流入する雨水などをスリット状流入口に案内でき、集水効率を向上できる。
【００７０】
なお、前記形態のスペーサ壁は少なくとも上部が三角形状や山形状などの形態で頂部を有する場合が多く、上部の傾斜壁（傾斜上端面）は直線的に又は湾曲して形成してもよい。また、スペーサ壁の頂部は、ブロック本体の側壁の上端面よりも下方に位置していてもよい。なお、スペーサ壁の上端面（頂部）がブロック本体の側壁の上端面よりも下方に位置するときは、必ずしも上記相加平均値を利用してスペーサ壁の上端面の平均高さ位置を算出する必要はなく、ブロック本体の側壁の上端面からスペーサ壁の頂部上端面に至る距離を、スペーサ壁（スペーサ部）の上端面とブロック本体の側壁の上端面との距離ｄとしてもよい。なお、通常、スペーサ壁の上端面（又は平坦な上端面全体）は、ブロック本体の上端面よりも下方に位置している場合が多い。
【００７１】
さらに、側溝ブロックは、長手方向の一部にスペーサ壁及び支持部が形成され、蓋体が配置可能であればよい。図１２は本発明の側溝ブロックのさらに他の例を示す概略分解斜視図である。
【００７２】
この例では、側溝ブロック１０１は、門型に形成され、ブロック本体１０２は、長手方向の少なくとも一方の端部（図示する例では、両端部）で、長手方向に沿って互いに対向する一対の内壁（側壁）１０４，１０５と、長手方向の少なくとも一方の端部（図示する例では、両端部）において前記一対の内壁１０４，１０５の上部に一体に架設された上部壁１０８とを有し、下部が開口した形態を有している。すなわち、ブロック本体１０２は、前記端部で一対の内壁（側壁）１０４，１０５の上部に上部壁１０８が形成された断面コ字状のブロック部１０２ａ，１０２ｂと、これらのブロック部１０２ａ，１０２ｂ間に位置し、かつ一対の内壁１０４，１０５がブロック部１０２ａ，１０２ｂに連なって互いに対向する開放ブロック部１０２ｂとで構成されている。
【００７３】
そして、開放ブロック部１０２ｂの一方の内壁（側壁）１０４には、前記と同様に、長手方向に間隔をおいて位置する複数のスペーサ壁１０６と、このスペーサ壁から内側に突出する支持部１０７とが形成されている。前記開放ブロック部１０２ｂの上部開口部には、Ｌ字状屈曲部１６１ａを有する平板状の蓋体１６１が、Ｌ字状屈曲部１６１ａをブロック本体１０２の一方の側壁（側壁）１０４側に向けて配置され、開放ブロック部１０２ｂの支持部１０７の支持面１０７ａと、ブロック本体１０２の他方の内壁１０５の上端面１０５ａとで、蓋体１６１の両側部（長手方向に直交する方向の両側部）を支持している。
【００７４】
なお、ブロック本体１０２の両端部において、ブロック本体１０２の一方の内壁（側壁）１０４側の上部壁１０８には、蓋体１６１と同じくＬ字状に屈曲した屈曲肉厚部１０８ａが長手方向に形成されており、この屈曲肉厚部１０８ａとブロック本体１０２の一方の内壁（側壁）１０４との間には、長手方向に沿って凹溝１０９が形成されている。
【００７５】
このような側溝ブロック１０１と蓋体１６１とを用いて側溝を形成しても、ブロック本体１０２の両端部の上端面に形成された凹溝１０９と、スペーサ壁１０６の上部に形成される案内流入口とで雨水をスリット状流入口に有効に案内できる。
【００７６】
なお、前記の例では、ブロック本体の一方の内壁にスペーサ壁と支持部とを形成しているが、必要であれば、ブロック本体の対向する双方の内壁にスペーサ壁と支持部とを形成してもよい。
【００７７】
蓋体の形状は、側溝の構築領域に応じて選択でき、特に制限されない。例えば、前記のように、車道と歩道との境界域では、頭部を有する蓋体が使用できる他、図３に示すように、両側部に脚部が形成された山形状の蓋体、図１２に示すようにＬ字状に屈曲した蓋体などであってもよい。また、側溝ブロックに対する蓋体の位置ずれなどを防止するため、蓋体と側溝ブロックとには、互いに係合又は嵌合可能な係止部や嵌合部（凹凸部など）などを有していてもよい。また、スペーサ壁側の蓋体の側壁（側面）及び／又は頭部の側壁（側面）は、側溝ブロックのスペーサ壁側の内壁に沿って平行に形成してもよく、上方に行くにつれて他方の側壁側に傾斜又は湾曲していてもよく、逆方向（上方に行くにつれて一方の側壁側）に傾斜又は湾曲していてもよい。特に、スペーサ壁側の蓋体の頭部の側壁（側面）を、上方に行くにつれて他方の側壁側に傾斜又は湾曲して形成すると、頭部を利用して水を集水路に案内できる。
【００７８】
さらに、車道Ａと歩道（駐車場など）Ｂとの境界域には、図１３に示すように、側溝ブロック１に、天面に傾斜した傾斜面を有する蓋体１７１を配置し、乗り入れ用ブロックを形成してもよく、図１４に示すように、側溝ブロック１に、平板状の蓋体１８１を配置し、ブロック１及び蓋体１８１の上端面を平坦にして段差の少ないバリアフリー構造を構築してもよい。
【産業上の利用可能性】
【００７９】
本発明は、ブロック本体の長手方向に沿って雨水などの流入口（又は流入路）を形成でき、ブロック本体の内壁を利用して集水効率を向上できる。そのため、本発明は、種々の側溝に利用できるだけでなく、ブロック及び蓋体の上端面が平坦なバリアフリー構造の側溝を形成しても、集水効率を向上できる。
【符号の説明】
【００８０】
１，１１，２１，３１，４１，５１，６１，７１，８１，９１，１０１…側溝ブロック
２，１２，２２，３２，４２，５２，６２，７２，８２，９２，１０２…ブロック本体
３…流路（排水路）
４，５，１４，２４，４４，５４，５５，１０４，１０５…内壁（側壁）
４ａ，１４ａ，２４ａ，４４ａ，５４ａ，５５ａ，１０５ａ…上端面
６，１６，２６，３６，４６，５６，６６，７６，８６，９６，１０６…スペーサ壁
６ａ，１６ａ，２６ａ，４６ａ，５６ａ，９６ａ…上端面
７，１７，２７，３７，４７，５７，６７，７７，８８，９７，１０７…支持部
７ａ，１７ａ，２７ａ，３７ａ，４７ａ，５７ａ，６７ａ，７７ａ，８８ａ，９７ａ，１０７ａ…支持面
８…案内流入口
９…スリット状流入口
１１１，１２１，１３１，１４１，１５１，１６１，１７１，１８１…蓋体
Ａ…車道
Ｂ…歩道
【図１】
0005828739.tif 000002
【図２】
0005828739.tif 000003
【図３】
0005828739.tif 000004
【図４】
0005828739.tif 000005
【図５】
0005828739.tif 000006
【図６】
0005828739.tif 000007
【図７】
0005828739.tif 000008
【図８】
0005828739.tif 000009
【図９】
0005828739.tif 000010
【図１０】
0005828739.tif 000011
【図１１】
0005828739.tif 000012
【図１２】
0005828739.tif 000013
【図１３】
0005828739.tif 000014
【図１４】
0005828739.tif 000015